(57)【特許請求の範囲】
【請求項１】
ディジタル放送波を受信する受信手段と、使用目的に係わる場所についての設置場所のリスト画面を提示し、ユーザが前記リスト画面上で選択した設置場所に基づいて設置場所情報を取得設定する手段と、前記設置場所情報に基づいて放送波の選択及び／又は受信した放送波に含まれている情報の選択を行なう制御手段と、を備えたことを特徴とするディジタル放送受信装置。
【請求項２】
請求項１に記載のディジタル放送受信装置において、ディジタル放送波から番組情報を取り出す手段を備え、前記設置場所情報と前記番組情報とに基づいて番組を選択するように構成されたことを特徴とするディジタル放送受信装置。
【請求項３】
請求項２に記載のディジタル放送受信装置において、設置場所情報に基づいて番組情報を検索して検索結果を提示するように構成されたことを特徴とするディジタル放送受信装置。
【請求項４】
請求項２又は請求項３に記載のディジタル放送受信装置において、利用者によってチャンネル変更指示がなされた際に当該チャンネルの番組情報と設置場所情報とに基づいてチャンネル変更が妥当か否かを判断し、妥当でないと判断した場合には映像出力の停止又はチャンネル不変更処理又は妥当なチャンネルへの自動変更を行なうように構成されたことを特徴とするディジタル放送受信装置。
【請求項５】
請求項２乃至請求項４のいずれかに記載のディジタル放送受信装置において、前記設置場所情報に対応させたキーワードを保持し、このキーワードに該当する番組の積極選択又は忌避選択を行なうように構成されたことを特徴とするディジタル放送受信装置。
【請求項６】
請求項１乃至請求項５のいずれかに記載のディジタル放送受信装置において、前記設置場所情報に基づいて広告情報を選択するように構成されたことを特徴とするディジタル放送受信装置。
【請求項７】
請求項６に記載のディジタル放送受信装置において、前記設置場所情報に対応させたキーワードを保持し、このキーワードに該当する広告情報を選択するように構成されたことを特徴とするディジタル放送受信装置。
【請求項８】
請求項１乃至請求項７のいずれかに記載のディジタル放送受信装置において、前記設置場所情報の変更には暗証番号の入力が要件とされるように構成されたことを特徴とするディジタル放送受信装置。
【発明の詳細な説明】
【０００１】
【産業上の利用分野】
この発明は、ディジタル放送を受信するディジタル放送受信装置に関する。
【０００２】
【従来の技術】
衛星や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
このようなディジタル放送では、従来のアナログ放送と同様に映像や音声を送信することに加え、番組情報も送信している。この番組情報は、番組名、番組開始時刻、番組内容情報、番組ジャンル情報などの各種情報を含んでおり、受信装置側ではＯＳＤ（オンスクリーンディスプレイ）機能を用いたＥＰＧ（Ｅｌｅｃｔｒｏｎｉｃ  Ｐｒｏｇｒａｍ  Ｇｕｉｄｅ）表示機能によって多チャンネル放送のなかからユーザが望む番組を選択することができる。
【０００４】
【発明が解決しようとする課題】
ところで、上記のごとく、ディジタル放送波に様々な情報を載せることが可能であることから、例えば、地域的なコマーシャル（ＣＭ）や緊急放送を送信することとし、受信装置には地域情報を予め設定しておくことで、或る地域に設置されている受信装置にのみ地域的なコマーシャルや緊急放送を受信させることが可能である。そして、このようなディジタル放送波の特性を活かし、ディジタル放送受信装置が更に個別的に情報を選択できるようになることが望まれる。
【０００５】
この発明は、上記の事情に鑑み、視聴場所に合った情報の選択が可能なディジタル放送受信装置を提供することを目的とする。
【０００６】
【課題を解決するための手段】
この発明のディジタル放送受信装置は、上記の課題を解決するために、ディジタル放送波を受信する受信手段と、設置場所情報を設定する手段と、前記設置場所情報に基づいて放送波の選択及び／又は受信した放送波に含まれている情報の選択を行なう制御手段と、を備えたことを特徴とする。
【０００７】
上記の構成であれば、ディジタル放送受信装置の設置場所に応じた放送波の選択及び／又は受信した放送波に含まれている情報の選択が行なわれるので、視聴場所に合った情報をユーザに提示することができる。
【０００８】
ディジタル放送波から番組情報を取り出す手段を備え、前記設置場所情報と前記番組情報とに基づいて番組を選択するのがよい。これによれば、予め設置場所を「子供部屋」と設定しておいた場合には、例えば子供向け番組を中心に受信することができるようになる。
【０００９】
設置場所情報に基づいて番組情報を検索して検索結果を提示するように構成されていてもよい。これによれば、例えばジャンル検索機能と同様に、設置場所検索といった機能を提供できることになる。
【００１０】
利用者によってチャンネル変更指示がなされた際に当該チャンネルの番組情報と設置場所情報とに基づいてチャンネル変更が妥当か否かを判断し、妥当でないと判断した場合には映像出力の停止又はチャンネル不変更処理又は妥当なチャンネルへの自動変更を行なうように構成されているのがよい。これによれば、設置場所が子供部屋である場合において、例えばチャンネル変更で大人向け番組が選択された場合に、映像出力が停止されたり、チャンネルをそのままとする処理が行なわれたり、妥当なチャンネルへの自動変更が行なわれることになる。
【００１１】
設置場所情報に対応させたキーワードを保持し、このキーワードに該当する番組の積極選択又は忌避選択を行なうように構成されていてもよい。かかる構成であれば、例えば、番組情報である番組詳細において「暴力シーンあり」との情報が存在し、設置場所が子供部屋である場合において忌避キーワードとして「暴力」が登録されていれば、上記番組が選択された場合に忌避選択（前述した映像出力停止やチャンネルをそのままとする処理や妥当なチャンネルへの自動変更とする処理等）がなされる。また、番組情報としての番組詳細において「友情シーンあり」との情報が存在し、設置場所が子供部屋である場合において、上記番組が選択された場合に積極選択がなされる。
【００１２】
設置場所情報に基づいて広告情報を選択するように構成されていてもよい。例えば、「背広」の広告情報と「玩具」の広告情報とが放送波に載せられている場合において、設置場所が子供部屋である場合には、「玩具」の広告情報が選択されて提示されることになる。
【００１３】
設置場所情報に対応させたキーワードを保持し、このキーワードに該当する広告情報の選択を行なうように構成されていてもよい。
【００１４】
設置場所情報の変更には暗証番号の入力が要件とされるように構成されていてもよい。これによれば、例えば未成年者が保護者の留守中に受信装置の設置場所設定を無断で変更するといったことを防ぐことができる。
【００１５】
【発明の実施の形態】
以下、この発明の実施形態を図１乃至図３に基づいて説明するが、ここではユーザがＢＳ（Ｂｒｏａｄｃａｓｔｉｎｇ  Ｓａｔｅｌｌｉｔｅ）ディジタル放送を視聴する場合を例示している。図１はこの実施形態のディジタル放送受信装置３０を示したブロック図であり、図２は設置場所設定画面の説明図であり、図３は設置場所が「病院の待合室」である場合の検索条件（キーワード）をテーブル化して示した画面の説明図である。
【００１６】
アンテナ１は、屋外において所定の方向に向けて配置されており、ＢＳから送られてくるディジタル放送信号を受信する。このアンテナ１は一般に周波数変換器を備え、受信／周波数変換した信号をチューナ２に与える。
【００１７】
チューナ２は、映像・音声データを含む高周波ディジタル変調信号のうちから特定周波数の信号を取り出す。すなわち、ディジタル放送の複数のトランスポンダのなかから一つを選択する処理を行う。また、チューナ２は、復調回路、逆インタリーブ回路、誤り訂正回路などを備えることにより、選択したディジタル変調信号を復調してトランスポート・ストリームを出力する。
【００１８】
デマルチプレクサ（ＤＥＭＵＸ）３は、前記トランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）に分離する。デマルチプレクサ３は、ビデオストリームとオーディオストリームをＡＶデコーダ４に供給し、ＰＳＩ／ＳＩに含まれる番組情報（番組名、番組開始時刻、番組内容情報、番組ジャンル情報、パレンタルレベル等）等をＣＰＵ１３に供給する。なお、前述のごとく、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、ディジタル放送波にはメインチャンネルだけでなく、サブチャンネルが多重されており、ＣＰＵ１３からデマルチプレクサ３にサブチャンネルを選択するようＤＥＭＵＸ制御信号が供給されると、サブチャンネルにおける情報が出力される。更に、ディジタル放送波には静止画、文字情報、音声情報を提供するデータ放送も多重されている。放送においては、随所に広告情報（ＣＭ）が挿入されているが、この広告情報とは別の広告情報をサブチャンネルやデータ放送に組み入れることが可能である。勿論、広告情報専門のチャンネルを設けることも可能である。ディジタル放送波には広告情報が例えばどのサブチャンネルに存在するかを示す情報やどのような設置場所において好適な広告情報であるかの情報を挿入しておくことが可能である。
【００１９】
ＡＶデコーダ４は、ビデオスストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００２０】
映像処理回路５は、ＡＶデコーダ４から映像データを受け取ってＤ／Ａ変換を行い、例えばコンポジット映像信号に変換する。音声処理回路６は、ＡＶデコーダ４から出力された音声データを受け取ってＤ／Ａ変換を行い、例えば右（Ｒ）音のアナログ信号及び左（Ｌ）音のアナログ信号を生成する。
【００２１】
映像出力回路７及び音声出力回路８は出力抵抗や増幅器等を備えて成る。ＡＶ出力端子９には、出力部（左右音声出力端子等や映像出力端子等のセット）が設けられており、この出力部には、映像／音声コード１７によって受像管１６ａ及びスピーカ１６ｂを備えるモニタ１６が接続される。
【００２２】
ＯＳＤ回路１２は、ＣＰＵ１３から出力指示された文字情報や色情報に基づくビットマップデータを加算器２０に出力する。加算器２０は前記ビットマップデータをＡＶデコーダ４から出力される受信映像データに組み込む処理を行う。上記ＯＳＤ回路１２により、ＣＰＵ１３が受け取った前述の番組情報に基づくＥＰＧ（Ｅｌｅｃｔｒｏｎｉｃ  Ｐｒｏｇｒａｍ  Ｇｕｉｄｅ）表示などが行えることになる。
【００２３】
リモコン送信機１０は、当該放送受信装置３０に指令を送出するための送信機である。このリモコン送信機１０に設けられた図示しないキーを操作すると、そのキーに対応した指令を意味する信号光（リモコン信号）が図示しない発光部から送出される。リモコン受光器１１は、前記信号光を受光し、これを電気信号に変換してＣＰＵ１３に与える。また、ユーザはこのリモコン送信機１０に設けられた「上下」の方向キー及び「決定」キーなどを用い、設定画面上で各種設定を行なうことができる。
【００２４】
不揮発性メモリ（例えばＥＥＰＲＯＭ等）１４には、ＥＰＧ画面を表示するためのデータ（番組情報）の他、設置場所情報などが格納される。
【００２５】
ＣＰＵ１３は、このディジタル放送受信装置３０における全体制御を行うものであるが、特にこの発明にかかる制御として、設置場所情報に基づく放送波の選択及び／又は受信した放送波に含まれている情報の選択を行なうようになっている。以下、かかる選択制御について説明していく。
【００２６】
図２（ａ）は、受信装置の各種設定を選択するためのメニュー画面の説明図であり、同図（ｂ）は、設置場所を設定するための設置場所設定画面の説明図である。図２（ａ）のメニュー画面において、ユーザはリモコン送信機１０に設けられた「上下」の方向キーを用いて「設置場所設定」の項目を選択し（色変わりさせ）、「決定」キーを押下すると、同図（ｂ）に示す設置場所設定画面を表示させることができる。この設置場所設定画面には、例えば、「台所」「子供部屋」「病院の待合室」などの選択肢が設けられており、ユーザはこれらのなかからリモコン送信機１０を用いて受信装置の設置場所に応じた項目を選択することにより設置場所を設定することができる。
【００２７】
これらの各設置場所には、当該受信装置に受信させることを望む番組を特定するための積極的条件や、反対に受信を制限する番組を特定するための受信制限条件が予め設定されており、ユーザが各設置場所についての条件内容を確認するには、例えば、図２（ｂ）の設置場所設定画面において内容を確認したい設置場所を選択し、画面下部に設けた「内容表示」ボタンを操作すればよい。図３は、「病院の待合室」を選択して内容表示を求めた場合の画面であり、当該設置場所に対応付けられた条件（キーワード）をテーブル化して示したものである。受信を望む番組を特定するための積極的条件には「健康情報番組」や「お笑い番組」などが設定されており、また受信を制限する番組を特定するための受信制限条件には「臨終シーンを含む番組」などが設定されている。ＣＰＵ１３は、これらの条件を用いて番組情報を検索し、番組や広告情報を選択することができる。
【００２８】
また、設置場所設定画面において、設置場所を登録する際、暗証番号の登録をユーザに求めるようにするのがよい。一旦設定した設置場所を変更するには、ＣＰＵ１３はユーザに暗証番号の入力を求め、予め登録した暗証番号と同じ暗証番号が入力されない限り設置場所を変更できないようにする。これにより、例えば未成年者が保護者の留守中に受信装置の設置場所設定を無断で変更するといったことを防ぐことができる。
【００２９】
図２（ｂ）の設置場所設定画面において、上述の方法で、予めユーザが「病院の待合室」を設置場所として設定していた場合において、ディジタル放送受信装置の電源ＯＮがなされると、ＣＰＵ１３は不揮発性メモリ１４から「病院の待合室」に対応付けられた条件（キーワード）を読み出す。ＣＰＵ１３は、図３に示した「健康情報番組」や「お笑い番組」などの積極的条件及び「臨終シーンを含む番組」などの受信制限条件に基づき番組情報中のジャンル情報や番組詳細情報を検索し、該当する番組を受信する処理を行う。なお、放送事業者側では、番組の詳細情報として、受信装置側の前記条件に合い易い情報（キーワード）を積極的に付加するのがよい。一方、広告情報に関しても、受信した広告情報のなかから、例えば「健康」に関するものや「お笑い」に関するものを優先して選択するのがよい。この場合も、放送事業者側では、広告情報の属性情報として、受信装置側の前記条件に合い易い情報を付加するのがよい。
【００３０】
図２（ｂ）の設置場所設定画面において、「台所」を設置場所として設定していた場合には、例えば、ユーザが電源ＯＮ操作を行なったときや設置場所受信モードを選択したときに、ＣＰＵ１３は不揮発性メモリ１４から設置場所の「台所」に対応付けられた条件を読み出す。設置場所が「台所」である場合には、積極的条件は「料理」や「主婦向け番組」などが考えられる。ＣＰＵ１３はこれらの積極的条件を用いて番組情報を検索し、該当する番組を受信する処理を行う。一方、広告情報に関しては、ＣＰＵ１３は、受信した広告情報のなかから食料品や台所用品を扱うものを優先して選択する。ここで、例えば、サブチャンネルに食料品に関する広告情報が存在しているとし、メインチャンネルで通常の広告（コマーシャル）に切り替わったときに、自動的にサブチャンネルに切り替えて食料品に関する広告情報を表示することができる。また、例えば、食料品や台所用品を扱うデータ放送から広告情報を予め取得して記憶しておき、メインチャンネルで通常の広告に切り替わったときに、記憶しておいた広告情報を自動的に表示することもできる。或いは、メインチャンネルにおいて通常の広告を画面表示すると共に、記憶しておいた食料品や台所用品の広告情報をＯＳＤ回路１２を用いてスーパーインポーズするといった処理も可能である。
【００３１】
また、図２（ｂ）の設置場所設定画面において、「子供部屋」を設置場所として設定していた場合には、例えば、電源ＯＮ操作がなされたときに、ＣＰＵ１３は不揮発性メモリ１４から設置場所の「子供部屋」に対応付けられた条件を読み出す。例えば、条件のうち積極的条件が「子供向け番組」及び「小学生推奨番組」とし、受信制限条件が「暴力シーンを含む番組」とした場合には、ＣＰＵ１３はこれらの条件を用いて番組情報を検索し、子供部屋に相応しい番組を受信する処理を行う。なお、設置場所が「子供部屋」である場合には、番組内容やジャンル情報の検索に加えて、番組のパレンタルレベルを用いて番組の視聴制限を行なうようにしてもよい。また、コマーシャルに関しては、ＣＰＵ１３は、受信した広告情報のなかから例えば玩具を扱うものを優先して選択する。
【００３２】
利用者によってチャンネル変更指示がなされた際に、ＣＰＵ１３は当該チャンネルの番組情報と設置場所情報とに基づいてチャンネル変更が妥当か否かを判断し、妥当でないと判断した場合には映像出力の停止またはチャンネル不変更処理を行なうようにしてもよい。これによれば、設置場所が子供部屋である場合において、「暴力シーン」が存在するチャンネル（番組）が選択された場合、映像出力が停止されたり、チャンネルをそのままとする処理が行なわれる。また、条件に該当する番組が複数放送されている場合においては、条件に該当する他の番組を自動選択するようにしてもよい。
【００３３】
設置場所情報に基づいて番組情報を検索して検索結果を提示するように構成されていてもよい。これによれば、例えばジャンル検索機能と同様に、設置場所検索といった機能を利用者に提供できることになる。
【００３４】
また、放送事業者側で放送番組や広告情報に「台所向け」「子供部屋向け」「病院の待合室向け」といった属性情報、更にはその度合いを表す点数を付加しておくことにより、受信装置側では条件（キーワード）無しで前記属性情報やその点数に基づいて番組や広告情報の選択が行なえることになる。
【００３５】
また、受信装置における設置情報の積極条件や制限条件（キーワード）はメーカ側で予め設定しておいてもよいし、ユーザ側で追加・削除が行なえる構成としてもよい。
【００３６】
【発明の効果】
以上説明したように、この発明のディジタル放送受信装置であれば、受信装置毎に設置場所を設定できるので、設置場所に応じた放送を受信して映像表示することができるようになる。これにより、視聴場所に合った番組や広告情報をユーザに提供できるという効果を奏する。
【図面の簡単な説明】
【図１】この発明の実施形態のディジタル放送受信装置を示したブロック図である。
【図２】図２（ａ）は、受信装置の各種設定処理を選択するためのメニュー画面の説明図であり、同図（ｂ）は、設置場所設定画面の説明図である。
【図３】設置場所設定に対応した条件を表示した画面の説明図である。
【符号の説明】
１    アンテナ
２    ＢＳディジタルチューナ
３    デマルチプレクサ（ＤＥＭＵＸ）
４    ＡＶデコーダ
１２  ＯＳＤ回路
１３  ＣＰＵ
１４  不揮発性メモリ
【図１】
0003851163.tif 000002
【図２】
0003851163.tif 000003
【図３】
0003851163.tif 000004